(57)【要約】  本願の実施例は、通信方法及び端末デバイスを開示し、該方法は、端末デバイスが伝送されるデータがある第１の論理チャネル及び前記端末デバイスの利用可能な上りリソースに基づいて、スケジューリング要求ＳＲをトリガーするかどうかを決定することを含む。
2021527971.tif 000002
【特許請求の範囲】
【請求項１】
端末デバイスが伝送されるデータがある第１の論理チャネル及び前記端末デバイスの利用可能な上りリソースに基づいて、スケジューリング要求ＳＲをトリガーするかどうかを決定することを含む
ことを特徴とする通信方法。
【請求項２】
前記上りリソースは、動的にスケジューリングされる上りリソース及び／又は準静的に構成される上りリソースを含む
ことを特徴とする請求項１に記載の通信方法。
【請求項３】
前記端末デバイスが前記ＳＲをトリガーするかどうかを決定する時に、前記第１の論理チャネルが通常バッファ状態レポートＢＳＲをトリガーしており、少なくとも１つの通常ＢＳＲがトリガー済みで未送信状態にある
ことを特徴とする請求項１又は２に記載の通信方法。
【請求項４】
前記端末デバイスが伝送されるデータがある第１の論理チャネル及び前記端末デバイスの利用可能な上りリソースに基づいて、スケジューリング要求ＳＲをトリガーするかどうかを決定することは、
前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することを含む
ことを特徴とする請求項１〜３のいずれか１項に記載の通信方法。
【請求項５】
前記第１の論理チャネルが１つの論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルにより構成される論理チャネルパラメータが前記利用可能な上りリソースのＬＣＰ制約条件を満たしている場合、ＳＲをトリガーしないと決定し、又は、
前記第１の論理チャネルにより構成される論理チャネルパラメータが前記利用可能な上りリソースのＬＣＰ制約条件を満たさない場合、ＳＲをトリガーすると決定することを含む
ことを特徴とする請求項４に記載の通信方法。
【請求項６】
前記第１の論理チャネルが複数の論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルの各論理チャネルにより構成される論理チャネルパラメータが前記利用可能な上りリソースのＬＣＰ制約条件を満たしている場合、ＳＲをトリガーしないと決定し、又は、
前記第１の論理チャネルのうちの少なくとも１つの論理チャネルにより構成される論理チャネルパラメータが前記利用可能な上りリソースのＬＣＰ制約条件を満たさない場合、ＳＲをトリガーすると決定することを含む
ことを特徴とする請求項４に記載の通信方法。
【請求項７】
前記論理チャネルパラメータは、ネットワークデバイスにより前記第１の論理チャネルに構成される少なくとも１つのパラメータであり、
前記少なくとも１つのパラメータは、前記第１の論理チャネル上の前記伝送されるデータが前記利用可能な上りリソースで伝送できるかどうかを決定するために使用される
ことを特徴とする請求項５又は６に記載の通信方法。
【請求項８】
前記第１の論理チャネルにより構成される論理チャネルパラメータは、
前記伝送されるデータが第１の構成上りグラントリソースで伝送することを許可するかどうかを示す第１のパラメータ、前記伝送されるデータが第２の構成上りグラントリソースで伝送することを許可するかどうかを示す第２のパラメータ、最大サポートされた物理上り共有チャネルＰＵＳＣＨ伝送時間長、利用可能なサブキャリア間隔、利用可能なキャリアのうちの少なくとも１つを含む
ことを特徴とする請求項７に記載の通信方法。
【請求項９】
前記上りリソースのＬＣＰ制約条件は、
前記伝送されるデータが第１の構成上りグラントリソースで伝送されることを許可するかどうか、前記伝送されるデータが第２の構成上りグラントリソースで伝送されることを許可するかどうか、前記伝送されるデータが動的にスケジューリングされる上りリソースで伝送されることを許可するかどうかの少なくとも１つを示す
ことを特徴とする請求項４〜８のいずれか１項に記載の通信方法。
【請求項１０】
前記第１の構成上りグラントリソースは、準静的構成方式で構成されるグラントリソースであり、前記第２の構成上りグラントリソースは、準静的構成及び動的ドリガー方式により構成されるグラントリソースである
ことを特徴とする請求項８又は９に記載の通信方法。
【請求項１１】
決定モジュールを備える端末デバイスであって、
前記決定モジュールは、伝送されるデータがある第１の論理チャネル及び前記端末デバイスの利用可能な上りリソースに基づいて、スケジューリング要求ＳＲをトリガーするかどうかを決定するように構成される
ことを特徴とする端末デバイス。
【請求項１２】
前記上りリソースは、動的にスケジューリングされる上りリソース及び／又は準静的に構成される上りリソースを含む
ことを特徴とする請求項１１に記載の端末デバイス。
【請求項１３】
前記端末デバイスが前記ＳＲをトリガーするかどうかを決定する時に、前記第１の論理チャネルが通常バッファ状態レポートＢＳＲをトリガーしており、少なくとも１つの通常ＢＳＲがトリガー済みで未送信状態にある
ことを特徴とする請求項１１又は１２に記載の端末デバイス。
【請求項１４】
前記決定モジュールは、さらに、
前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定するように構成される
ことを特徴とする請求項１１〜１３のいずれか１項に記載の端末デバイス。
【請求項１５】
前記第１の論理チャネルが１つの論理チャネルを含み、前記決定モジュールは、
前記第１の論理チャネルにより構成される論理チャネルパラメータが前記利用可能な上りリソースのＬＣＰ制約条件を満たしている場合、ＳＲをトリガーしないと決定し、又は、
前記第１の論理チャネルにより構成される論理チャネルパラメータが前記利用可能な上りリソースのＬＣＰ制約条件を満たさない場合、ＳＲをトリガーすると決定するように構成される
ことを特徴とする請求項１４に記載の端末デバイス。
【請求項１６】
前記第１の論理チャネルが複数の論理チャネルを含み、前記決定モジュールは、
前記第１の論理チャネルの各論理チャネルにより構成される論理チャネルパラメータが前記利用可能な上りリソースのＬＣＰ制約条件を満たしている場合、ＳＲをトリガーしないと決定し、又は、
前記第１の論理チャネルのうちの少なくとも１つの論理チャネルにより構成される論理チャネルパラメータが前記利用可能な上りリソースのＬＣＰ制約条件を満たさない場合、ＳＲをトリガーすると決定するように構成される
ことを特徴とする請求項１４に記載の端末デバイス。
【請求項１７】
前記論理チャネルパラメータは、ネットワークデバイスにより前記第１の論理チャネルに構成される少なくとも１つのパラメータであり、前記少なくとも１つのパラメータは、前記第１の論理チャネル上の前記伝送されるデータが前記利用可能な上りリソースで伝送できるかどうかを決定するために使用される
ことを特徴とする請求項１５又は１６に記載の端末デバイス。
【請求項１８】
前記第１の論理チャネルにより構成される論理チャネルパラメータは、
前記伝送されるデータが第１の構成上りグラントリソースで伝送することを許可するかどうかを示す第１のパラメータ、前記伝送されるデータが第２の構成上りグラントリソースで伝送することを許可するかどうかを示す第２のパラメータ、最大サポートされた物理上り共有チャネルＰＵＳＣＨ伝送時間長、利用可能なサブキャリア間隔、利用可能なキャリアのうちの少なくとも１つを含む
ことを特徴とする請求項１７に記載の端末デバイス。
【請求項１９】
前記上りリソースのＬＣＰ制約条件は、
前記伝送されるデータが第１の構成上りグラントリソースで伝送されることを許可するかどうか、前記伝送されるデータが第２の構成上りグラントリソースで伝送されることを許可するかどうか、前記伝送されるデータが動的にスケジューリングされる上りリソースで伝送されることを許可するかどうかの少なくとも１つを示す
ことを特徴とする請求項１４〜１８のいずれか１項に記載の端末デバイス。
【請求項２０】
前記第１の構成上りグラントリソースは、準静的構成方式で構成されるグラントリソースであり、前記第２の構成上りグラントリソースは、準静的構成及び動的ドリガー方式により構成されるグラントリソースである
ことを特徴とする請求項１８又は１９に記載の端末デバイス。
【請求項２１】
請求項１〜１０のいずれかに記載の通信方法をコンピュータに実行させるコンピュータプログラムを記憶する
ことを特徴とする記憶媒体。
【請求項２２】
コンピュータプログラムを格納したメモリと、
前記メモリに格納されたコンピュータプログラムを呼び出して、請求項１〜１０のいずれか１項に記載の通信方法を実行するプロセッサと、を備える
ことを特徴とする端末デバイス。
【請求項２３】
請求項１〜１０のいずれか１項に記載の通信方法を、チップが搭載された装置に実行させるコンピュータプログラムをメモリから呼び出して実行するプロセッサを有するチップ
ことを特徴とするチップ。
【発明の詳細な説明】
【技術分野】
【０００１】
本願の実施例は、通信分野に関し、特に、通信方法及び端末デバイスに関する。
【背景技術】
【０００２】
５Ｇの新しいラジオ( Ｎｅｗ Ｒａｄｉｏ、ＮＲ )システムにおいて、論理チャネル上で伝送されるデータがある場合、端末デバイスは、データ伝送のために上りリソースを取得するためにスケジューリング要求( Ｓｃｈｅｄｕｌｉｎｇ Ｒｅｑｕｅｓｔ、ＳＲ )をネットワークデバイスに送信することができるが、端末デバイスが利用可能な上りリソース(例えば、準静的リソース)を有する場合、どのようにＳＲをトリガーするかが解決すべき課題である。
【発明の概要】
【０００３】
本願は、ＳＲのトリガーを実現することができる通信方法及び端末デバイスを提供する。
【０００４】
第１の形態は、通信方法を提供し、端末デバイスが伝送されるデータがある第１の論理チャネル及び前記端末デバイスの利用可能な上りリソースに基づいて、スケジューリング要求ＳＲをトリガーするかどうかを決定することを含む。
【０００５】
このように、本願の実施例に係る通信方法によれば、端末デバイスが、この端末デバイスの利用可能な上りリソースと、伝送されるデータが存在する論理チャネルの情報とに基づいて、ＳＲをトリガーするか否かを決定することができるので、ＳＲをトリガーする必要がある場合にはタイムリーにＳＲをトリガーしてデータのタイムリーな伝送を実現することができ、ＳＲをトリガーする必要がない場合にはＳＲをトリガーしないことにより、シグナリングオーバーヘッドを低減することができる。
【０００６】
いくつかの実現可能な形態において、前記上りリソースは、動的にスケジューリングされる上りリソース及び／又は準静的に構成される上りリソースを含む。
【０００７】
任意選択で、この動的にスケジューリングされた上りリソースは、物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )によりスケジューリングされた上りリソースであってもよく、ここで、該ＰＤＣＣＨは、セル無線ネットワーク一時識別子( Ｃｅｌｌ Ｒａｄｉｏ Ｎｅｔｗｏｒｋ Ｔｅｍｐｏｒａｒｙ Ｉｄｅｎｔｉｆｉｅｒ、Ｃ−ＲＮＴＩ )によりスクランブルされてもよく、又はＣＳ−ＲＮＴＩによりスクランブルされてもよく、又は他のＲＮＴＩによりスクランブルされてもよい等、本願の実施例はこれに限定されない。
【０００８】
任意選択で、この準静的に構成された上りリソースは、第１の構成上りグラントリソース( Ｔｙｐｅ１ Ｃｏｎｆｉｇｕｒｅｄ Ｕｐｌｉｎｋ Ｇｒａｎｔ )および第２の構成上りグラントリソース( Ｔｙｐｅ２ Ｃｏｎｆｉｇｕｒｅｄ Ｕｐｌｉｎｋ Ｇｒａｎｔ )を含み、ここで、Ｔｙｐｅ１ Ｃｏｎｆｉｇｕｒｅｄ Ｕｐｌｉｎｋ Ｇｒａｎｔは、無線リソース制御( Ｒａｄｉｏ Ｒｅｓｏｕｒｃｅ Ｃｏｎｔｒｏｌ、ＲＲＣ )または他の上位レイヤシグナリングを介して構成された上りリソースであり得、このＴｙｐｅ２ Ｃｏｎｆｉｇｕｒｅｄ Ｕｐｌｉｎｋ Ｇｒａｎｔは、上位レイヤシグナリング(例えば、ＲＲＣシグナリング)により構成された上りリソースであり得、下り制御情報( Ｄｏｗｎｌｉｎｋ Ｃｏｎｔｒｏｌ Ｉｎｆｏｒｍａｔｉｏｎ、ＤＣＩ )を介してこの上りリソースを活性化または非活性化し得る。
【０００９】
いくつかの実現可能な形態において、前記端末デバイスが前記ＳＲをトリガーするかどうかを決定する時に、前記第１の論理チャネルが通常バッファ状態レポートＢＳＲをトリガーしており、少なくとも１つの通常ＢＳＲがトリガー済みで未送信状態にある。
【００１０】
いくつかの実現可能な形態において、前記端末デバイスが伝送されるデータがある第１の論理チャネル及び前記端末デバイスの利用可能な上りリソースに基づいて、スケジューリング要求ＳＲをトリガーするかどうかを決定することは、
前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することを含む。
【００１１】
いくつかの実現可能な形態において、前記第１の論理チャネルが１つの論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルにより構成される論理チャネルパラメータが前記利用可能な上りリソースのＬＣＰ制約条件を満たしている場合、ＳＲをトリガーしないと決定し、又は、
前記第１の論理チャネルにより構成される論理チャネルパラメータが前記利用可能な上りリソースのＬＣＰ制約条件を満たさない場合、ＳＲをトリガーすると決定することを含む。
【００１２】
いくつかの実現可能な形態において、前記第１の論理チャネルが複数の論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルの各論理チャネルにより構成される論理チャネルパラメータが前記利用可能な上りリソースのＬＣＰ制約条件を満たしている場合、ＳＲをトリガーしないと決定し、又は、
前記第１の論理チャネルのうちの少なくとも１つの論理チャネルにより構成される論理チャネルパラメータが前記利用可能な上りリソースのＬＣＰ制約条件を満たさない場合、ＳＲをトリガーすると決定することを含む。
【００１３】
いくつかの実現可能な形態において、前記論理チャネルパラメータは、ネットワークデバイスにより前記第１の論理チャネルに構成される少なくとも１つのパラメータであり、ここで、前記少なくとも１つのパラメータは、前記第１の論理チャネル上の前記伝送されるデータが前記利用可能な上りリソースで伝送できるかどうかを決定するために使用される。
【００１４】
いくつかの実現可能な形態において、前記第１の論理チャネルにより構成される論理チャネルパラメータは、
前記伝送されるデータが第１の構成上りグラントリソースで伝送することを許可するかどうかを示す第１のパラメータ、前記伝送されるデータが第２の構成上りグラントリソースで伝送することを許可するかどうかを示す第２のパラメータ、最大サポートされた物理上り共有チャネルＰＵＳＣＨ伝送時間長、利用可能なサブキャリア間隔、利用可能なキャリアのうちの少なくとも１つを含む。
【００１５】
いくつかの実現可能な形態において、前記上りリソースのＬＣＰ制約条件は、
前記伝送されるデータが第１の構成上りグラントリソースで伝送されることを許可するかどうか、前記伝送されるデータが第２の構成上りグラントリソースで伝送されることを許可するかどうか、前記伝送されるデータが動的にスケジューリングされる上りリソースで伝送されることを許可するかどうかの少なくとも１つを示す。
【００１６】
いくつかの実現可能な形態において、前記第１の構成上りグラントリソースは、準静的構成方式で構成されるグラントリソースであり、前記第２の構成上りグラントリソースは、準静的構成及び動的ドリガー方式により構成されるグラントリソースである。
【００１７】
第２の態様は、上記の第１の態様または第１の態様の任意の可能な実装における方法を実行するための端末デバイスを提供する。具体的には、端末デバイスは、上記の第１の態様または第１の態様の可能な実装のいずれかにおける方法を実行するための機能モジュールを含む。
【００１８】
第３の態様は、プロセッサと、メモリとを備える端末デバイスを提供する。このメモリは、コンピュータプログラムを記憶するためのものであり、このプロセッサは、このメモリに記憶されたコンピュータプログラムを呼び出して実行し、上記第１の態様またはその各実施例における方法を実行するためのものである。
【００１９】
第４の態様は、上記第１の態様またはその様々な実装における方法を実装するためのチップを提供する。
【００２０】
具体的には、チップは、メモリからコンピュータプログラムを呼び出して実行するプロセッサを備え、チップが搭載された装置に、上記の第１の態様またはその各実施例の方法を実行させる。
【００２１】
第５の態様は、コンピュータに、上記第１の態様またはその様々な実施例における方法を実行させるコンピュータプログラムを記憶するためのコンピュータ可読記憶媒体を提供する。
【００２２】
第６の態様は、コンピュータに、上記第１の態様またはその様々な実施例における方法を実行させるコンピュータプログラム命令を含むコンピュータプログラム製品を提供する。
【００２３】
第７の態様は、コンピュータ上で実行されると、コンピュータに、上記第１の態様またはその様々な実施例における方法を実行させるコンピュータプログラムを提供する。
【図面の簡単な説明】
【００２４】
【図１】本願の実施例における応用シナリオの模式図である。
【図２】本願の実施例における通信方法のフローチャートである。
【図３】本願の実施例における端末デバイスのブロック図である。
【図４】本願の実施例における通信デバイスのブロック図である。
【図５】本願の実施例におけるチップのブロック図である。
【発明を実施するための形態】
【００２５】
以下、本願の実施の形態における技術的手段について、本願の実施の形態における図面を参照して説明する。
【００２６】
本明細書において、「システム」および「ネットワーク」という用語は、しばしば、本明細書において交換可能に使用されることが理解される。ここで、及び/又はとは、単に関連のある対象を記述するための関連関係の１つであり、A及び/又はBのように３つの関係が存在し得ることを意味し、Aのみ、AとBが同時に存在すること、Bのみが存在することの３つの場合が存在し得ることを意味する。なお、本文中の「/」の文字は、前後の関連オブジェクトが一種の「または」の関係であることを一般的に示す。
【００２７】
本願の実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ （ ＧＳＭ )方式、Ｃｏｄｅ Ｄｉｖｉｓｉｏｎ Ｍｕｌｔｉｐｌｅ Ａｃｃｅｓｓ （ ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )方式、Ｇｅｎｅｒａｌ Ｐａｃｋｅｔ Ｒａｄｉｏ Ｓｅｒｖｉｃｅ （ ＧＰＲＳ )方式、Ｌｏｎｇ Ｔｅｒｍ Ｅｖｏｌｕｔｉｏｎ （ ＬＴＥ )方式、Ｆｒｅｑｕｅｎｃｙ Ｄｉｖｉｓｉｏｎ Ｄｕｐｌｅｘ （ ＦＤＤ )方式、Ｔｉｍｅ Ｄｉｖｉｓｉｏｎ Ｄｕｐｌｅｘ （ ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ （ ＷｉＭＡＸ )方式、将来の５Ｇ方式等の移動通信システム、あるいは、これらを組み合わせた通信システム等に適用することができる。
【００２８】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局（ ＮｏｄｅＢ、ＮＢ )、LTEシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワークデバイス、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００２９】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００３０】
以下、図２を参照して、本願の実施例の通信方法を説明するが、図２は、本願の実施例の通信方法の概略フローチャートであり、方法の詳細な通信ステップまたは動作を示すが、これらのステップまたは動作は、単なる例であり、本願の実施例は、図２の様々な動作の他の動作または変形を実行することもできる。
【００３１】
図２は、本願の実施例によって提供される通信方法２００の概略的なフローチャートであり、この方法２００は、通信システム内の端末デバイスによって実行され得る。図２に示すように、通信方法２００は、以下のステップを含み、
Ｓ２１０において、端末デバイスが伝送されるデータがある第１の論理チャネル及び前記端末デバイスの利用可能な上りリソースに基づいて、スケジューリング要求ＳＲをトリガーするかどうかを決定する。
【００３２】
具体的には、第１の論理チャネル上で伝送するデータがある場合に、この端末デバイスは、データ伝送のための上りリソースの取得を要求するＳＲをネットワークデバイスに送信することができ、このとき、端末デバイスは、利用可能な上りリソース、例えば、準静的に構成された上りリソースが既に割り当てられている場合、利用可能な上りリソースの属性情報またはパラメータ情報に基づいて、ＳＲをトリガーするか否かを決定することもできる。例えば、端末デバイスは、利用可能な上りリソースが第１の論理チャネル上で伝送されるデータの伝送要求を満たすことができる場合、ＳＲをトリガーせず、すなわち、ＳＲをネットワークデバイスに送信しないことを決定し、さらに、この利用可能な上りリソースを用いてデータ伝送を行うことができ、それによって、シグナリングオーバーヘッドを低減することができ、または、端末デバイスは、利用可能な上りリソースが第１の論理チャネル上で伝送されるデータの伝送要求を満たすことができない場合、ＳＲをトリガーすることを決定し、さらに、ネットワークデバイスにＳＲを送信して、伝送要求を満たす上りリソースを取得することができ、それにより、第１の論理チャネル上で伝送されるデータのタイムリーな伝送を実現する。
【００３３】
このように、本願の実施例に係る通信方法によれば、端末デバイスが、この端末の利用可能な上りリソース及び伝送されるデータが存在する論理チャネルの情報とに基づいて、ＳＲをトリガーするか否かを決定することができるので、ＳＲをトリガーする必要がある場合にはタイムリーにＳＲをトリガーしてデータのタイムリーな伝送を実現することができ、ＳＲをトリガーする必要がない場合にはＳＲをトリガーしないことにより、シグナリングオーバーヘッドを低減することができる。
【００３４】
任意選択で、本願の実施例において、前記第１の論理チャネルは、１つまたは１セットの論理チャネルを含んでもよく、本願の実施例は、これに限定されない。
【００３５】
なお、前記端末デバイスが前記ＳＲをトリガーするかどうかを決定する時に、前記第１の論理チャネルが通常バッファ状態レポート（Ｂｕｆｆｅｒ Ｓｔａｔｅ Ｒｅｐｏｒｔ、ＢＳＲ）をトリガーしており、さらに、該端末デバイスにおいて少なくとも１つの通常（ｒｅｇｕｌａｒ）ＢＳＲがｐｅｎｄｉｎｇ状態（トリガー済みで未送信状態）にあり、該少なくとも１つのｒｅｇｕｌａｒ ＢＳＲは、１つの論理チャネルによりトリガーされてもよいし、複数の論理チャネルによりトリガーされてもよく、該少なくとも１つのｒｅｇｕｌａｒ ＢＳＲは、該第１の論理チャネルによりトリガーされるｒｅｇｕｌａｒ ＢＳＲを含んでもよい。
【００３６】
任意選択で、本願の実施例において、前記端末デバイス利用可能な上りリソースは、動的にスケジューリングされる上りリソース及び／又は準静的に構成される上りリソースを含む。
【００３７】
任意選択で、本願の実施例において、この動的にスケジューリングされた上りリソースは、物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )によりスケジューリングされた上りリソースであってもよく、ここで、該ＰＤＣＣＨは、セル無線ネットワーク一時識別子( Ｃｅｌｌ Ｒａｄｉｏ Ｎｅｔｗｏｒｋ Ｔｅｍｐｏｒａｒｙ Ｉｄｅｎｔｉｆｉｅｒ、Ｃ−ＲＮＴＩ )によりスクランブルされてもよく、又はＣＳ−ＲＮＴＩによりスクランブルされてもよく、又は他のＲＮＴＩによりスクランブルされてもよい等、本願実施例はこれに限定されない。
【００３８】
任意選択で、本願の実施例において、該準静的に構成される上りリソースは、第１の構成上りグラントリソース（Ｔｙｐｅ１ Ｃｏｎｆｉｇｕｒｅｄ Ｕｐｌｉｎｋ Ｇｒａｎｔ）及び第２の構成上りグラントリソース（Ｔｙｐｅ２ Ｃｏｎｆｉｇｕｒｅｄ Ｕｐｌｉｎｋ Ｇｒａｎｔ）を含み、ここで、Ｔｙｐｅ１ Ｃｏｎｆｉｇｕｒｅｄ Ｕｐｌｉｎｋ Ｇｒａｎｔは、無線リソース制御( Ｒａｄｉｏ Ｒｅｓｏｕｒｃｅ Ｃｏｎｔｒｏｌ、ＲＲＣ )または他の上位レイヤシグナリングを介して構成された上りリソースであり得、このＴｙｐｅ２ Ｃｏｎｆｉｇｕｒｅｄ Ｕｐｌｉｎｋ Ｇｒａｎｔは、上位レイヤシグナリング(例えば、ＲＲＣシグナリング)により構成された上りリソースであり得、下り制御情報( Ｄｏｗｎｌｉｎｋ Ｃｏｎｔｒｏｌ Ｉｎｆｏｒｍａｔｉｏｎ、ＤＣＩ )を介してこの上りリソースを活性化または非活性化し得る。つまり、前記第１の構成上りグラントリソースは、準静的構成方式で構成される上りグラントリソースであり、前記第２の構成上りグラントリソースは、半静構成及び動的方式により構成される上りグラントリソースである。
【００３９】
任意選択で、いくつかの実施例において、Ｓ２１０は、具体的に、
前記端末デバイスが、前記第１の論理チャネルにより構成される論理チャネルパラメータが前記利用可能な上りリソースの論理チャネル優先度（Ｌｏｇｉｃａｌ ｃｈａｎｎｅｌ ｐｒｉｏｒｉｔｉｚａｔｉｏｎ、ＬＣＰ）の制約条件を満たしているかどうかを判断して、ＳＲのトリガーを決定することを含む。
【００４０】
なお、ここで、該第１の論理チャネルにより構成される論理チャネルパラメータは、ネットワークデバイスにより前記第１の論理チャネルに構成される少なくとも１つのパラメータを含み、ここで、前記少なくとも１つのパラメータは、前記第１の論理チャネル上の前記伝送されるデータが前記利用可能な上りリソースで伝送できるかどうかを決定するために使用される。
【００４１】
任意選択で、いくつかの実施例において、前記第１の論理チャネルにより構成される論理チャネルパラメータは、
前記伝送されるデータが第１の構成上りグラントリソースで伝送することを許可するかどうかを示す第１のパラメータ、前記伝送されるデータが第２の構成上りグラントリソースで伝送することを許可するかどうかを示す第２のパラメータ、最大サポートされた物理上り共有チャネルＰＵＳＣＨ伝送時間長、利用可能なサブキャリア間隔、利用可能なキャリアのうちの少なくとも１つを含む。
【００４２】
ここで、該最大サポートされる物理上り共有チャネル( Ｐｈｙｓｉｃａｌ Ｕｐｌｉｎｋ Ｓｈａｒｅｄ ＣＨａｎｎｅｌ、ＰＵＳＣＨ )伝送時間長さは、最大サポートされるＰＵＳＣＨの長さ、すなわち、データ伝送が可能な最大時間の長さとして理解されてもよく、利用可能なサブキャリア間隔( ＳｕｂＣａｒｒｉｅｒ Ｓｐａｃｉｎｇ、ＳＣＳ )は、利用可能な基本パラメータセットとして理解されてもよく、利用可能なキャリアは、利用可能な物理キャリア( ａｌｌｏｗｅｄ Ｓｅｒｖｉｎｇ Ｃｅｌｌｓ )と呼ばれてもよい。
【００４３】
任意選択で、本願の実施例において、上りリソースのＬＣＰ制約条件は、端末デバイスが、利用可能な上りリソースを取得した場合に、論理チャネル選択を行い、論理チャネル上の伝送されるデータを、その上りリソース上に構成して伝送する方式として理解することができ、したがって、論理チャネル上の伝送されるデータが、上りリソースのＬＣＰ制約条件に基づいて、その上りリソース上で伝送可能であるか否かを決定することができる。例えば、具体的には、以下のステップを含んでもよい
まず、論理チャネル選択を行い、
具体的には、論理チャネル毎に構成された論理チャネルパラメータと、該上りリソースのパラメータとを比較して、例えば、論理チャネルの最大サポートのＰＵＳＣＨ長が上りリソースのＰＵＳＣＨ長よりも大きければ、該論理チャネル上のデータが該上りリソース上で伝送可能であると決定でき、そうでなければ、該上りリソース上で伝送不可能であると決定できる。
【００４４】
さらに、選択した論理チャネルをソートすることができ、例えば、論理チャネルが構成する論理チャネルパラメータや論理チャネルの優先度に応じてソートすることができる。
【００４５】
そして、ソートされた各論理チャネルが上りリソースで伝送可能なデータを決定することができ、例えば、各論理チャネルが上りリソースで伝送可能なデータを、該論理チャネルごとに構成された論理チャネルパラメータから決定することができる。
【００４６】
したがって、上りリソースのＬＣＰ制約条件は、上りリソースの属性情報またはパラメータ情報、例えば、上りリソースが最大サポートするＰＵＳＣＨ長、利用可能な物理キャリア、利用可能なサブキャリア間隔、論理チャネル上の伝送されるデータが該上りリソース上で伝送されることを許可されるかどうか、などと理解され得る。これにより、端末デバイスは、論理チャネルによって構成される論理チャネルパラメータに応じて、上りリソースのＬＣＰ制約条件と併せて、論理チャネル上の送信されるデータが上りリソース上で伝送可能か否か、すなわち、上りリソースが伝送されるデータの伝送条件を満たすか否かを判断することができる。
【００４７】
さらに、端末デバイスは、この論理チャネル上の伝送されるデータがこの上りリソース上で伝送可能であると決定された場合、ＳＲをトリガーしないことができ、それにより、シグナリングオーバーヘッドを低減することができ、または、この論理チャネル上の伝送されるデータが上りリソース上で送信可能でない場合、ネットワークデバイスが伝送されるデータをタイムリーにスケジューリングできるように、ＳＲをタイムリーにトリガーすることができる。
【００４８】
任意選択で、本願の実施例において、該第１の論理チャネルは１つの論理チャネルを含んでもよいし、複数の論理チャネルを含んでもよく、以下では、これら２つのシナリオに関連してＳＲのトリガー条件を具体的に説明する。
【００４９】
任意選択で、実施例として、前記第１の論理チャネルが１つの論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルにより構成される論理チャネルパラメータが前記利用可能な上りリソースのＬＣＰ制約条件を満たしている場合、ＳＲをトリガーしないと決定し、又は、
前記第１の論理チャネルにより構成される論理チャネルパラメータが前記利用可能な上りリソースのＬＣＰ制約条件を満たさない場合、ＳＲをトリガーすると決定することを含む。
【００５０】
具体的には、端末デバイスは、第１の論理チャネルが１つの論理チャネルを含む場合、１つの論理チャネルによって構成される論理チャネルパラメータが端末デバイスの利用可能な上りリソースのＬＣＰ制約条件を満たすかどうかを判断するだけでよく、例えば、第１の論理チャネルによって構成される利用可能なキャリアが物理キャリア２であり、利用可能な上りリソースがサービングセル１ ( Ｓｅｒｖｉｎｇ Ｃｅｌｌ１ )上のリソースである場合、第１の論理チャネルによって構成される論理チャネルパラメータが利用可能な上りリソースのＬＣＰ制約条件を満たさないと判断することができ、または、この第１の論理チャネルによって構成される最大サポートＰＵＳＣＨ伝送時間長が利用可能な上りリソースのＰＵＳＣＨ伝送時間長よりも長い場合、この第１の論理チャネルによって構成される論理チャネルパラメータが利用可能な上りリソースのＬＣＰ制約条件を満たすと判断することができる。さらに、端末デバイスは、判断結果に基づいて、ＳＲをトリガーするか否かを決定することができ、この第１の論理チャネルによって構成された論理チャネルパラメータが端末デバイスの利用可能な上りリソースのＬＣＰ制約条件を満たす場合、ＳＲをトリガーしないことを決定することができ、それにより、シグナリングオーバーヘッドを低減することができ、または、端末デバイスは、第の論理チャネルによって構成された論理チャネルパラメータが端末デバイスの利用可能な上りリソースのＬＣＰ制約条件を満たさない場合、第１の論理チャネル上のデータのタイムリーな伝送を実現するために、トリガーＳＲを決定してネットワークデバイスにＳＲをタイムリーに送信することができる。
【００５１】
任意選択で、実施例として、前記第１の論理チャネルが複数の論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルの各論理チャネルにより構成される論理チャネルパラメータが前記利用可能な上りリソースのＬＣＰ制約条件を満たしている場合、ＳＲをトリガーしないと決定し、又は、
前記第１の論理チャネルのうちの少なくとも１つの論理チャネルにより構成される論理チャネルパラメータが前記利用可能な上りリソースのＬＣＰ制約条件を満たさない場合、ＳＲをトリガーすると決定することを含む。
【００５２】
具体的には、端末デバイスは、第１の論理チャネルが複数の論理チャネルを含む場合、複数の論理チャネルの各々によって構成される論理チャネルパラメータが端末デバイスの利用可能な上りリソースのＬＣＰ制約条件を満たすか否かを判断し、判断結果に基づいてＳＲをトリガーするか否かをさらに決定することができる。例えば、複数の論理チャネルのうちの１つの論理チャネル(例えば、論理チャネル１ )によって構成される論理チャネルパラメータが、利用可能な上りリソースのＬＣＰ制約条件を満たさない場合、すなわち、この論理チャネル１上のデータが利用可能な上りリソースを介して伝送できない場合、端末デバイスは、この論理チャネル１上のデータのタイムリーな伝送を実現するために、ネットワークデバイスに上りリソースをタイムリーに要求し、論理チャネル１上のデータをタイムリーに伝送するように、ＳＲのトリガーを決定することができる。又は、端末デバイスは、複数の論理チャネルの各々に構成された論理チャネルパラメータが利用可能な上りリソースのＬＣＰ制約条件を満たす場合、すなわち、複数の論理チャネルの各々上の伝送されるデータが利用可能な上りリソースを介して伝送できる場合、ＳＲをトリガーせずに利用可能な上りリソースを用いてデータ伝送を行うことを決定し、シグナリングオーバーヘッドを低減することができる。
【００５３】
すなわち、本願の実施例において、端末デバイスがＳＲをトリガーするか否かは、まず、伝送されるトラフィックの論理チャネルによって構成された論理チャネルパラメータが、端末デバイスが割り当てられた上りリソースのＬＣＰ制約条件を満たすか否かを判断することができ、例えば、遅延に敏感な論理チャネルについて、伝送されるトラフィックが超高信頼および低遅延( Ｕｌｔｒａ Ｒｅｌｉａｂｌｅ＆Ｌｏｗ Ｌａｔｅｎｃｙ Ｃｏｍｍｕｎｉｃａｔｉｏｎ、ＵＲＬＬＣ )トラフィックである場合、論理チャネル構成の論理チャネルパラメータが割り当てられた上りリソースのＬＣＰ制約条件を満たさない場合、ネットワークデバイスは、論理チャネル上で伝送されるトラフィックを素早くスケジューリングすることができるように、ＳＲをタイムトリガーすることができる。
【００５４】
以下、具体的な実施例を用いてＳＲのトリガー方式について説明する。
【００５５】
実施例１
該端末デバイスにＴｙｐｅ１ Ｃｏｎｆｉｇｕｒｅｄ Ｕｐｌｉｎｋ Ｇｒａｎｔが構成されており、ネットワークデバイスが該Ｔｙｐｅ１ Ｃｏｎｆｉｇｕｒｅｄ Ｕｐｌｉｎｋ ＧｒａｎｔのＬＣＰ制約条件を構成し、この場合、ｒｅｇｕｌａｒ ＢＳＲをトリガーする論理チャネルについて、該端末デバイスは、該論理チャネルにより構成される論理チャネルパラメータが該Ｔｙｐｅ１ Ｃｏｎｆｉｇｕｒｅｄ Ｕｐｌｉｎｋ ＧｒａｎｔのＬＣＰ制約条件を満たすかどうかを決定し、満たす場合にＳＲをトリガーせず、そうでない場合にＳＲをトリガーする。
【００５６】
実施例２
該端末デバイスにＴｙｐｅ２ Ｃｏｎｆｉｇｕｒｅｄ Ｕｐｌｉｎｋ Ｇｒａｎｔが構成されており、該Ｔｙｐｅ２ Ｃｏｎｆｉｇｕｒｅｄ Ｕｐｌｉｎｋ Ｇｒａｎｔが活性化状態にあり、ネットワークデバイスが該Ｔｙｐｅ２ Ｃｏｎｆｉｇｕｒｅｄ Ｕｐｌｉｎｋ ＧｒａｎｔのＬＣＰ制約条件を構成し、この場合、ｒｅｇｕｌａｒ ＢＳＲをトリガーする論理チャネルについて、該端末デバイスは、該論理チャネルにより構成される論理チャネルパラメータが該Ｔｙｐｅ２ Ｃｏｎｆｉｇｕｒｅｄ Ｕｐｌｉｎｋ ＧｒａｎｔのＬＣＰ制約条件を満たすかどうかを決定し、満たす場合にＳＲをトリガーせず、そうでない場合にＳＲをトリガーする。
【００５７】
実施例３
該端末デバイスに動的にスケジューリングされる上りリソースが割り当てており、ネットワークデバイスが該動的にスケジューリングリソースのＬＣＰ制約条件を構成し、この場合、ｒｅｇｕｌａｒ ＢＳＲをトリガーする論理チャネルについて、該端末デバイスは、該論理チャネルにより構成される論理チャネルパラメータが該動的にスケジューリングされる上りリソースのＬＣＰ制約条件を満たすかどうかを決定し、満たす場合にＳＲをトリガーせず、そうでない場合にＳＲをトリガーする。
【００５８】
本願の実施例において、端末デバイスの利用可能な上りリソースは、動的にスケジューリングされた、および/または準静的に構成された上りリソースを含むことができ、したがって、ネットワークデバイスは、準静的に構成された上りリソース構成に対応するＬＣＰの制約条件を構成することができ、これにより、データを伝送する論理チャネルは、準静的に構成された上りリソースを直接データ伝送に使用するのではなく、準静的に構成された上りリソースのＬＣＰの制約条件に従って、ＳＲをトリガーするかどうかを決定することができ、準静的に構成された上りリソースのＬＣＰの制約条件が満たされない場合に、準静的に構成された上りリソースを使用してデータ伝送を行うことを回避するのに有利であり、同時に、ＳＲをタイムリーにトリガーすることができ、論理チャネル上で伝送するデータをタイムリーにスケジューリングするのに有利である。
【００５９】
任意選択で、いくつかの実施例において、Ｓ２１０の後、該方法２００は、さらに、
ＳＲをトリガーすると決定する場合、該端末デバイスがネットワークデバイスにＳＲを送信し、又は、
ＳＲをトリガーしないと決定する場合、該端末デバイスが該ネットワークデバイスにＳＲを送信しないことを含む。
【００６０】
このように、本願の実施例に係る通信方法によれば、端末デバイスが、この端末デバイスの利用可能な上りリソースと、伝送されるデータが存在する論理チャネルの情報とに基づいて、ＳＲをトリガーするか否かを決定することができるので、ＳＲをトリガーする必要がある場合にはタイムリーにＳＲをトリガーしてデータのタイムリーな送信を実現することができ、ＳＲをトリガーする必要がない場合にはＳＲをトリガーしないことにより、シグナリングオーバーヘッドを低減することができる。
【００６１】
本願の方法の実施例を図２に関連して詳細に説明し、本願のデバイスの実施例を図３〜図５に関連して詳細に説明するが、デバイスの実施例は方法の実施例に対応し、同様の説明は方法の実施例を参照し得ることが理解される。
【００６２】
図３は本願の実施例における端末デバイスのブロック図であり、図３に示すように、該端末デバイス３００は、決定モジュール３１０を含む。
【００６３】
決定モジュール３１０は、伝送されるデータがある第１の論理チャネル及び前記端末デバイスの利用可能な上りリソースに基づいて、スケジューリング要求ＳＲをトリガーするかどうかを決定するように構成される。
【００６４】
任意選択で、いくつかの実施例において、前記上りリソースは、動的にスケジューリングされる上りリソース及び／又は準静的に構成される上りリソースを含む。
【００６５】
任意選択で、いくつかの実施例において、前記端末デバイスが前記ＳＲをトリガーするかどうかを決定する時に、前記第１の論理チャネルが通常バッファ状態レポートＢＳＲをトリガーしており、少なくとも１つの通常ＢＳＲがトリガー済みで未送信状態にある。
【００６６】
任意選択で、いくつかの実施例において、前記決定モジュール３１０は、さらに、
前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定するように構成される。
【００６７】
任意選択で、いくつかの実施例において、前記第１の論理チャネルが１つの論理チャネルを含み、前記決定モジュール３１０は、具体的に、
前記第１の論理チャネルにより構成される論理チャネルパラメータが前記利用可能な上りリソースのＬＣＰ制約条件を満たしている場合、ＳＲをトリガーしないと決定し、又は、
前記第１の論理チャネルにより構成される論理チャネルパラメータが前記利用可能な上りリソースのＬＣＰ制約条件を満たさない場合、ＳＲをトリガーすると決定するように構成される。
【００６８】
任意選択で、いくつかの実施例において、前記第１の論理チャネルが複数の論理チャネルを含み、前記決定モジュール３１０は、具体的に、
前記第１の論理チャネルの各論理チャネルにより構成される論理チャネルパラメータが前記利用可能な上りリソースのＬＣＰ制約条件を満たしている場合、ＳＲをトリガーしないと決定し、又は、
前記第１の論理チャネルのうちの少なくとも１つの論理チャネルにより構成される論理チャネルパラメータが前記利用可能な上りリソースのＬＣＰ制約条件を満たさない場合、ＳＲをトリガーすると決定するように構成される。
【００６９】
任意選択で、いくつかの実施例において、前記論理チャネルパラメータは、ネットワークデバイスにより前記第１の論理チャネルに構成される少なくとも１つのパラメータであり、ここで、前記少なくとも１つのパラメータは、前記第１の論理チャネル上の前記伝送されるデータが前記利用可能な上りリソースで伝送できるかどうかを決定するために使用される。
【００７０】
任意選択で、いくつかの実施例において、前記第１の論理チャネルにより構成される論理チャネルパラメータは、
前記伝送されるデータが第１の構成上りグラントリソースで伝送することを許可するかどうかを示す第１のパラメータ、前記伝送されるデータが第２の構成上りグラントリソースで伝送することを許可するかどうかを示す第２のパラメータ、最大サポートされた物理上り共有チャネルＰＵＳＣＨ伝送時間長、利用可能なサブキャリア間隔、利用可能なキャリアのうちの少なくとも１つを含む。
【００７１】
任意選択で、いくつかの実施例において、前記上りリソースのＬＣＰ制約条件は、
前記伝送されるデータが第１の構成上りグラントリソースで伝送されることを許可するかどうか、前記伝送されるデータが第２の構成上りグラントリソースで伝送されることを許可するかどうか、前記伝送されるデータが動的にスケジューリングされる上りリソースで伝送されることを許可するかどうかの少なくとも１つを示す。
【００７２】
任意選択で、いくつかの実施例において、前記第１の構成上りグラントリソースは、準静的構成方式で構成されるグラントリソースであり、前記第２の構成上りグラントリソースは、準静的構成及び動的ドリガー方式により構成されるグラントリソースである。
【００７３】
任意選択で、いくつかの実施例において、該端末デバイス３００は、さらに、通信モジュールを含み、
通信モジュールは、ＳＲをトリガーすると決定する場合、ネットワークデバイスにＳＲを送信し、又は、
ＳＲをトリガーしないと決定する場合、該ネットワークデバイスにＳＲを送信しないように構成される。
【００７４】
本願の実施例による端末デバイス３００は、本願の実施例による端末デバイスに対応することができ、端末デバイス３００の各部の上述した及び他の動作及び/又は機能は、図２に示す方法２００における端末デバイスの対応するフローをそれぞれ実現するために、簡潔のためにここで説明を省略する。
【００７５】
図４は、本願の実施例に係る通信デバイス４００の概略的なブロック図である。図４に示す通信デバイス４００は、メモリからコンピュータプログラムを呼び出して実行することにより、本願の実施例における方法を実現するプロセッサ４１０を有する。
【００７６】
任意選択で、図４に示すように、通信デバイス４００は、メモリ４２０をさらに含んでもよい。プロセッサ４１０は、メモリ４２０からコンピュータプログラムを呼び出して実行することにより、本願の実施例における方法を実現する。
【００７７】
ここで、メモリ４２０は、プロセッサ４１０とは独立した１つの別個の部品であってもよく、プロセッサ４１０に集積されていてもよい。
【００７８】
任意選択で、図４に示すように、通信デバイス４００は、プロセッサ４１０が他のデバイスと通信するように制御することができる、具体的には、他のデバイスに情報又はデータを送信するか、又は他のデバイスによって送信された情報又はデータを受信することができる、送受信機４３０を更に含むことができる。
【００７９】
ここで、送受信機４３０は、送信機および受信機を含み得る。送受信機４３０は、１つ以上の数のアンテナをさらに含むことができる。
【００８０】
任意選択で、通信デバイス４００は、本願の実施例の端末デバイスであってもよく、通信デバイス４００は、本願の実施例の様々な方法において端末デバイスによって実施される対応するフローを実施してもよく、簡潔のためにここでは詳しい説明を省略する。
【００８１】
図５は、本願の実施例によるチップ５００の概略ブロック図である。図５に示されるチップ５００は、メモリからコンピュータプログラムを呼び出して実行することにより、本願の実施例における方法を実行することができるプロセッサ５１０を含む。
【００８２】
任意選択で、図５に示されるように、チップ５００は、メモリ５２０をさらに含むことができる。ここで、プロセッサ５１０は、メモリ５２０からコンピュータプログラムを呼び出して実行し、本願の実施例における方法を実施する。
【００８３】
ここで、メモリ５２０は、プロセッサ５１０とは独立した１つの別個の部品であってもよく、プロセッサ５１０に集積されてもよい。
【００８４】
任意選択で、このチップ５００は、入力インターフェース５３０をさらに含むことができる。プロセッサ５１０は、入力インターフェース５３０を制御して、他のデバイスまたはチップと通信してもよく、具体的には、他のデバイスまたはチップによって送信された情報またはデータを取得してもよい。
【００８５】
任意選択で、このチップ５００は、出力インターフェース５４０をさらに含み得る。ここで、プロセッサ５１０は、出力インターフェース５４０を制御して、他のデバイス又はチップと通信してもよく、具体的には、他のデバイス又はチップに情報又はデータを出力してもよい。
【００８６】
任意選択で、チップは、本願の実施例における端末デバイスに適用されてもよく、チップは、本願の実施例の様々な方法において端末デバイスによって実施される対応するフローを実施してもよく、簡潔さのためにここで説明を省略する。
【００８７】
なお、本願の実施例で言及されるチップは、システムレベルチップ、チップシステム、またはシステムオンチップなどと呼ばれることもあることを理解されたい。
【００８８】
上記のプロセッサは、汎用プロセッサ、デジタル信号プロセッサ( ｄｉｇｉｔａｌ  ｓｉｇｎａｌ  ｐｒｏｃｅｓｓｏｒ、ＤＳＰ )、既製のプログラマブルゲートアレイ( ｆｉｅｌｄ ｐｒｏｇｒａｍｍａｂｌｅ ｇａｔｅ ａｒｒａｙ、ＦＰＧＡ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、又は他のプログラマブル論理デバイス、トランジスタロジックデバイス、ディスクリートハードウェアコンポーネント等であり得る。ここで、汎用プロセッサは、マイクロプロセッサであってもよいし、一般的なプロセッサ等であってもよい。
【００８９】
上記メモリは、揮発性メモリまたは不揮発性メモリであってもよく、または揮発性メモリおよび不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、ランダムアクセスメモリ( ｒａｎｄｏｍ ａｃｃｅｓｓ ｍｅｍｏｒｙ、ＲＡＭ )であってよい。
【００９０】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【００９１】
本願の実施例は、複数のアプリケーションプログラムを含む携帯型電子機器によって実行されると、図２に示す実施例の方法を携帯型電子機器に実行させることが可能な命令を含む１又は複数のプログラムを記憶するコンピュータ可読記憶媒体をさらに提供する。
【００９２】
本願の実施例は、コンピュータプログラムをさらに提供し、コンピュータプログラムは、コンピュータによって実行されると、コンピュータに、図２に示される実施例の方法の対応するフローを実行させる命令を含む。
【００９３】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【００９４】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【００９５】
本明細書で提供するいくつかの実施例では、開示されたシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００９６】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【００９７】
また、本願の各実施例における各機能部は、１つの処理部に集積されてもよいし、各部は、物理的に別個に存在してもよいし、２つ以上の部が１つの部に集積されてもよい。
【００９８】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータ装置(パーソナルコンピュータ、サーバ、またはネットワークデバイスなどであってもよい)に本願の様々な実施例による方法のステップの全てまたは一部を実行させるための複数の命令を含む１つの記憶媒体に記憶されたソフトウェア製品の形態で具現化されてもよい。なお、前記記憶媒体としては、Ｕ−ディスク、リムーバブルハードディスク、リードオンリーメモリ( ＲＯＭ、Ｒｅａｄ−Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【００９９】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021527971.tif 000003
【図２】
2021527971.tif 000004
【図３】
2021527971.tif 000005
【図４】
2021527971.tif 000006
【図５】
2021527971.tif 000007
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
端末デバイスが伝送されるデータがある第１の論理チャネル及び前記端末デバイスの利用可能な上りリソースに基づいて、スケジューリング要求ＳＲをトリガーするかどうかを決定することを含む
ことを特徴とする通信方法。
【請求項２】
前記上りリソースは、動的にスケジューリングされる上りリソース及び／又は準静的に構成される上りリソースを含む
ことを特徴とする請求項１に記載の通信方法。
【請求項３】
前記端末デバイスが前記ＳＲをトリガーするかどうかを決定する時に、前記第１の論理チャネルが通常バッファ状態レポートＢＳＲをトリガーしており、少なくとも１つのトリガーされた通常ＢＳＲがｐｅｎｄｉｎｇ状態にある
ことを特徴とする請求項１又は２に記載の通信方法。
【請求項４】
前記端末デバイスが伝送されるデータがある第１の論理チャネル及び前記端末デバイスの利用可能な上りリソースに基づいて、スケジューリング要求ＳＲをトリガーするかどうかを決定することは、
前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することを含む
ことを特徴とする請求項１〜３のいずれか１項に記載の通信方法。
【請求項５】
前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記端末デバイスが第１の論理チャネルのために構成された論理チャネルパラメータが利用可能な上りリソースのパラメータにマッチングするかどうかに応じて、ＳＲをトリガーすると決定することを含む
ことを特徴とする請求項４に記載の通信方法。
【請求項６】
前記第１の論理チャネルが複数の論理チャネルを含み、前記端末デバイスが前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定することは、
前記第１の論理チャネルの各論理チャネルにより構成される論理チャネルパラメータが前記利用可能な上りリソースのＬＣＰ制約条件を満たしている場合、ＳＲをトリガーしないと決定し、又は、
前記第１の論理チャネルのうちの少なくとも１つの論理チャネルにより構成される論理チャネルパラメータが前記利用可能な上りリソースのＬＣＰ制約条件を満たさない場合、ＳＲをトリガーすると決定することを含む
ことを特徴とする請求項４に記載の通信方法。
【請求項７】
前記論理チャネルパラメータは、ネットワークデバイスにより前記第１の論理チャネルに構成される少なくとも１つのパラメータであり、
前記少なくとも１つのパラメータは、前記第１の論理チャネル上の前記伝送されるデータが前記利用可能な上りリソースで伝送できるかどうかを決定するために使用される
ことを特徴とする請求項４〜６のいずれか１項に記載の通信方法。
【請求項８】
前記第１の論理チャネルにより構成される論理チャネルパラメータは、
前記伝送されるデータが第１の構成上りグラントリソースで伝送することを許可するかどうかを示す第１のパラメータ、前記伝送されるデータが第２の構成上りグラントリソースで伝送することを許可するかどうかを示す第２のパラメータ、最大サポートされた物理上り共有チャネルＰＵＳＣＨ伝送時間長、利用可能なサブキャリア間隔、利用可能なキャリアのうちの少なくとも１つを含む
ことを特徴とする請求項７に記載の通信方法。
【請求項９】
前記上りリソースのＬＣＰ制約条件は、
前記伝送されるデータが第１の構成上りグラントリソースで伝送されることを許可するかどうか、前記伝送されるデータが第２の構成上りグラントリソースで伝送されることを許可するかどうか、前記伝送されるデータが動的にスケジューリングされる上りリソースで伝送されることを許可するかどうかの少なくとも１つを示す
ことを特徴とする請求項４〜８のいずれか１項に記載の通信方法。
【請求項１０】
前記第１の構成上りグラントリソースは、準静的構成方式で構成されるグラントリソースであり、前記第２の構成上りグラントリソースは、準静的構成及び動的ドリガー方式により構成されるグラントリソースである
ことを特徴とする請求項８又は９に記載の通信方法。
【請求項１１】
決定モジュールを備える端末デバイスであって、
前記決定モジュールは、伝送されるデータがある第１の論理チャネル及び前記端末デバイスの利用可能な上りリソースに基づいて、スケジューリング要求ＳＲをトリガーするかどうかを決定するように構成される
ことを特徴とする端末デバイス。
【請求項１２】
前記上りリソースは、動的にスケジューリングされる上りリソース及び／又は準静的に構成される上りリソースを含む
ことを特徴とする請求項１１に記載の端末デバイス。
【請求項１３】
前記端末デバイスが前記ＳＲをトリガーするかどうかを決定する時に、前記第１の論理チャネルが通常バッファ状態レポートＢＳＲをトリガーしており、少なくとも１つのトリガーされた通常ＢＳＲがｐｅｎｄｉｎｇ状態にある
ことを特徴とする請求項１１又は１２に記載の端末デバイス。
【請求項１４】
前記決定モジュールは、さらに、
前記第１の論理チャネルにより構成される論理チャネルパラメータが前記利用可能な上りリソースの論理チャネル優先度ＬＣＰ制約条件を満たしているかどうかを判断して、ＳＲをトリガーするかどうかを決定するように構成される
ことを特徴とする請求項１１〜１３のいずれか１項に記載の端末デバイス。
【請求項１５】
前記決定モジュールは、
前記端末デバイスが第１の論理チャネルのために構成された論理チャネルパラメータが利用可能な上りリソースのパラメータにマッチングするかどうかに応じて、ＳＲをトリガーすると決定するように構成される
ことを特徴とする請求項１４に記載の端末デバイス。
【国際調査報告】
2021527971.tif 000008
2021527971.tif 000009
2021527971.tif 000010
2021527971.tif 000011